(57)【要約】【課題】気密材の破損を防止でき、見栄えが良く、誤操作を防止できると共に、納まり制限されることなく設置できる内倒しサッシを提供する。【解決手段】本発明の内倒しサッシ１において、枠側台座７の長孔１０には連結アーム１５の枠側軸１５ａが移動自在に係合し、障子側台座１３の長孔２５には連結アーム１５の障子側軸１５ｂが移動自在に係合し、障子側台座１３の長孔２５は長手方向の任意の位置に連結アームの障子側軸１５ｂを係止する係止部２７ａ、２７ｂ、２７ｃを有し、操作部１９の操作により長孔２５の長手方向にスライダー２３がスライドして障子側軸１５ｂを係止部２７ａから外すようになっており、操作部１９は障子９を閉じたときに上枠６の気密材３３に当接する上框１７の室内側壁１７ａよりも室外側の上框上面に配置している。【選択図】図１
2008231821.tif 000002
【特許請求の範囲】
【請求項１】
竪枠に設けた枠側台座と、竪框に設けた障子側台座と、枠側台座と障子側台座とを連結する連結アームと、障子の開き角度を切り換える操作部とを備え、連結アームは一端部に枠側軸を他端部に障子側軸を有しており、枠側台座は連結アームの枠側軸が移動自在に係合する長孔を有し、障子側台座は、台座本体と台座本体に設けたスライダーを有し、台座本体は、連結アームの障子側軸が移動自在に係合する長孔を有し、台座本体の長孔は長手方向の任意の位置に連結アームの障子側軸を係止する少なくとも一つの係止部を有し、スライダーは操作部に連結してあり、操作部の操作により長孔の長手方向にスライドして連結アームの障子側軸を係止部から外すものであり、操作部は障子を閉じたときに上枠の気密材に当接する上框の室内側壁よりも室外側の上框上面に配置してあることを特徴とする内倒しサッシ。
【発明の詳細な説明】
【技術分野】
【０００１】
本発明は、内倒しサッシに関する。
【背景技術】
【０００２】
特許文献１には、枠側台座と障子側台座とを連結する連結アームの障子側軸を、障子側台座に設けた長孔に係合してあり、竪枠と竪框との間に設けた操作部材を操作して長孔の所定位置で係止し、操作部材を操作して障子側軸の係止を解除する内倒しサッシが開示されている。この内倒しサッシでは連結アームの障子側軸を所定位置で係止することにより、障子を換気位置にし、係止を解除して障子を全開にしている。
【０００３】
【特許文献１】特開２００１−１６４８１８号公報
【発明の開示】
【発明が解決しようとする課題】
【０００４】
特許文献１の内倒しサッシでは、障子を閉じている状態において、操作部材が竪枠と竪框との間から室内側に突設している為、操作部材を操作するときに操作部材が枠と障子との間の気密材に当接して気密材を破損しやすくなり、室内の気密性や水密性が悪化するおそれがある。
更には、操作部材が室内に露出している為、障子の見栄えが悪く、また、子供等が誤って触れて操作してしまうおそれがあり、誤って操作されると障子が突然室内側に倒れて事故の原因になるという問題がある。
一方、操作部材が室内側から見えないように、例えば、操作部材を竪框の見込み面に設けると、額縁が室内側に大きく張り出している場合等、内倒しサッシの納まりによっては額縁と竪框との間に手を入れる隙間を確保できない為、場所によっては内倒しサッシの設置ができないという問題がある。
【０００５】
そこで、本発明は、気密材の破損を防止でき、見栄えが良く、誤操作を防止できると共に、納まり制限されることなく設置できる内倒しサッシの提供を目的とする。
【課題を解決するための手段】
【０００６】
請求項１に記載の発明は、竪枠に設けた枠側台座と、竪框に設けた障子側台座と、枠側台座と障子側台座とを連結する連結アームと、障子の開き角度を切り換える操作部とを備え、連結アームは一端部に枠側軸を他端部に障子側軸を有しており、枠側台座は連結アームの枠側軸が移動自在に係合する長孔を有し、障子側台座は、台座本体と台座本体に設けたスライダーを有し、台座本体は、連結アームの障子側軸が移動自在に係合する長孔を有し、台座本体の長孔は長手方向の任意の位置に連結アームの障子側軸を係止する少なくとも一つの係止部を有し、スライダーは操作部に連結してあり、操作部の操作により長孔の長手方向にスライドして連結アームの障子側軸を係止部から外すものであり、操作部は障子を閉じたときに上枠の気密材に当接する上框の室内側壁よりも室外側の上框上面に配置してあることを特徴とする。
【発明の効果】
【０００７】
請求項１に記載の発明によれば、操作部は、障子を閉じたときに上枠の気密材に当接する障子室内側壁の室外側に設けてあるので、障子と枠との間に設けた気密材の邪魔にならないで操作でき、気密材の破損を防止できる。
障子を閉じた状態では操作部が室内側に露出しないから、室内側からの見栄えがよく、また、子供等が誤って触れて誤操作してしまうことを防止できる。
更には、操作部は障子上框の上面に設けてあり、障子の回動軸から最も離れた位置にあるので、障子を換気位置（連結アームの障子側軸を係止部で係止する位置）に倒したときには操作部と上額縁との間隔を広く取れ、操作部を操作するときには上額縁との間に充分な隙間を確保できる為、内倒しサッシの納まり状態と関係なく内倒しサッシの取付けができ、取付け場所が制限されない。
【発明を実施するための最良の形態】
【０００８】
以下に、添付図面を参照して本発明の実施の形態を説明する。図１は本発明の実施の形態に係る内倒しサッシの障子を換気位置に開いた状態を示し、図７のＡ−Ａ位置に対応する位置で切断して示す断面図であり、図２の（ａ）は枠側台座と障子側台座とを各々抜き出して側面図であり、（ｂ）は（ａ）に示す障子側台座においてスライダーにより連結アームの障子側軸が係止部から外れた状態を示す側面図であり、図３は図７に示すＣ−Ｃ断面図であり、図４は図７のＥ−Ｅ断面図であり、図５は図４に示すＢ―Ｂ断面図であり、図６は図３に示すＦ−Ｆ断面図であり、図７は本実施の形態に係る内倒しサッシであって障子を閉じた状態を室内側から見た正面図である。
図７に示すように、本実施の形態に係る打ち倒しサッシ１は、左右に内倒し機構２を備えているが、左右の内倒し機構２は略同じ構造なので、以下の説明では、左右のうちの一方の内倒し機構について説明する。
図１に示すように、内倒しサッシ１には、障子９の室外側に網戸８が取付けてあり、室内側から網戸８を取外して網戸８のメンテナンスをする為や障子９の室外側面の清掃等の為に、室内換気位置（図１の実線で示す位置）に障子９を倒すと共に更には、障子９を全開位置（図１の二点鎖線９ａで示す位置）、例えば約８０度の角度まで倒せるようにしてある。
図１及び図７に示すように、内倒し機構２は、サッシ枠３の竪枠５に設けた枠側台座７と、障子９の竪框１１に設けた障子側台座１３と、枠側台座７と障子側台座１３とを連結する連結アーム１５と、障子９の上框１７に設けた操作部１９とから構成されている。連結アーム１５は、図１に示すように、一端部に枠側軸１５ａを他端部に障子側軸１５ｂを有している。
【０００９】
図１及び図２に示すように、枠側台座７は竪枠５の見込み面５ａ固定してあり、室外側から室内側へ斜め上方に向けて傾斜した長孔１０が形成されている。この枠側台座７の長孔１０には、連結アーム１５の枠側軸１５ａが移動自在に係合している。
障子側台座１３は、台座本体２１と台座本体２１にスライド自在に設けたスライダー２３を備えている。台座本体２１は、ビスで竪框１１の見込み面１１ａに固定してあり、竪框１１の長手方向に沿って長孔２５が形成されている。長孔２５には、連結アーム１５の障子側軸１５ｂが移動自在に係合している。長孔２５には、障子側軸１５ｂを所定位置で係止する複数の係止部２７ａ、２７ｂ、２７ｃが長孔２５に連接してある。各係止部２７ａ、２７ｂ、２７ｃは長孔２５に直行する位置に形成した孔であり、各係止部２７ａ、２７ｂ、２７ｃに障子側軸１５ｂが嵌合することにより連結アーム１５を各々の係止部位置に係止するように設けてある。
本実施の形態では、係止部２７ａ〜２７ｃは３箇所に設けてあり、障子の開度２０度で障子側軸１５ｂ係止する第１係止部２７ａ、開度４５度で障子側軸１５ｂ係止する第２係止部２７ｂ、開度６０度で障子側軸１５ｂ係止する第３係止部２７ａである。尚、障子の全開位置（図１の二点鎖線で示す符号９ａ）では、長孔２５の下端に障子側軸１５ｂが係止される。
図２及び図５に示すように、スライダー２３は、台座本体２１と竪框１１との間で竪框１１に沿ってスライド自在に設けてあり、台座本体２１の長孔２５よりも室外側に配置されている。スライダー２３には各係止部２７ａ、２７ｂ、２７ｃに対応した位置に各々長孔２５側に向けて突設した突部２９が設けてあり、図２（ｂ）に示すように、スライダー２３が上方に移動したときに、突部２９は係止部２７ｂにある障子側軸１５ｂを押して突部２９の斜面部の作用により、係止部２７ｂから外し、長孔２５に位置させる。他の係止部２７ａ、２７ｂにおいても同様に作用する。尚、スライダー２３には、一端が台座本体２１に止着された引張ばね２４の他端が掛止されており、上方にスライドしたときに下方に付勢されるようになっている。
このスライダー２３は、ワイヤー３１により操作部１９に連結してあり、後述の如く操作部１９の操作により、ワイヤー３１を介して上方にスライドする。
操作部１９は、図１及び図７に示すように、障子の上框１７の上面に設けてあり且つ上框１７の内側壁１７ａよりも室外側に配置されている。サッシ枠３にはその全周に亘って気密材３３が配置されており、障子９を閉じたときに上框１７の室内側壁１７ａの他に、上下左右の各框に設けた障子室内側壁が当接して室内の気密及び水密が図られている（図１、図４参照）。
図３及び図６に示すように、操作部１９は、台座３５と台座３５に回動自在に軸支された操作アーム３７を有しており、操作アーム３７の一端３７ａにはスライダー２３に連結されたワイヤー３１を固定してあり、他端３７ｂを図６矢印イ方向に押圧操作すると、一端３７ａが上方に回動してスライダー２３を上方にスライドさせるようになっている。
【００１０】
次に、本実施の形態にかかる内倒しサッシ１の開閉操作、作用及び効果について説明する。
障子９が図７に示す閉じた位置にあるときには、図１及び図４に示すように、上框１７、左右竪框１１及び下框１２では、各室内側壁１７ａ、１１ａ、１２ａが気密材３１当接して室内の気密及び水密が保たれている。
障子９を開いて室内換気を行う場合には、障子９の室内側面に設けてあるハンドルや押しボタン（図示を省略する）を操作して、図１に示すように、障子９を室内側に倒すと、下枠に設けた回動軸３９（図１参照）を中心にして回動すると共に枠側台座７の長孔１０を連結アーム１５の枠側軸１５ａが上方に移動して長孔１０の上端に係止し、障子側台座１３の長孔２５の障子側軸１５ｂは第１係止部２７ａに係止して、図１に示す換気位置に保持される。この時、枠側軸１５ａは、枠側台座７の長孔１０の縁を滑りながら移動する。
更に、障子９を倒して換気を促進したい場合には、第２係止部２７ｂ又は第３係止部２７ｃに連結アーム１５の障子側軸１５ｂを移動させるのであるが、この場合、図１及び図６に示すように、障子上框１７にある操作部１９を押圧してワイヤー３１を引き上げる。ここで、説明を解りやすくする為、図２（ａ）（ｂ）に示すように、障子側軸１５ｂが第２係止部２７ｂにある場合を例にして説明するが、ワイヤー３１が引き上げられると、スライダー２３が上方に移動し、スライダー２３の突部２９の斜面部が第２係止部２７ｂに係合している障子側軸１５ｂを押して第２係止部２７ｂから外し、長孔２５に移動させる。
尚、第２係止部２７ｂから障子側軸１５ｂが外れて長孔２５に位置すると、障子側軸１５ｂの移動が自由となるので、障子９が自重により倒れて、障子側軸１５ｂが長孔２５内をその室外側の縁に沿って下方に移動して次の第３係止部２７ｃに係止される。障子側軸１５ｂが図１に示す第１係止部２７ａから第２係止部２７ｂに移動するときも同様である。
一方、第３係止部２７ｃに障子側軸１５ｂが係止されて開いている障子９を全開したい場合、例えば、室内側から網戸８を脱着したい場合には、上述したように、第３係止部２７ｃにおいて、更に操作部１９を操作して障子側軸１５ｂを第３係止部２７ｃから外し、図１に二点鎖線９ａで示すように、障子側軸１５ｂを長孔２５の下端に係止させる。
尚、図１に示すように障子側軸１５ｂが第１係止部２７ａにある状態から全開する場合には、操作部１９を連続して操作すれば良い。
本実施の形態によれば、操作部１９は、上枠６の気密材３３に当接する障子室内側壁１７ａの室外側に設けてあるので、障子９と枠３との間に設けた気密材３１の邪魔にならないで操作でき、気密材３１の破損を防止できる。
障子９を閉じた状態では操作部１９が室内側に露出しないから、図７に示すように、内倒しサッシ１の室内側からの見栄えがよく、また、操作部１９に誤って触れて誤操作してしまうことを防止できる。更には、障子９が開いた換気位置にある場合でも、操作部１９は上框１７の上面で且つその室内側壁１７ａより室外側にあるから、子供等の手が届き難く誤操作を防止できる。
操作部１９は、障子上框１７の上面に設けてあり、障子９の下端にある回動軸３９から最も離れた位置にあるので、障子９を換気位置（第１係止位置）に倒したときには操作部１９と上額縁４０との間を広く取れ、操作部の操作時には上額縁４０との間に充分な隙間を確保できる為、内倒しサッシ１の納まり状態と関係なく内倒しサッシ１の取付けができ、取付け場所が制限されない。
障子９が図１に示す第１換気位置に倒れるときには、連結アーム１５の枠側軸１５ａのみが枠側台座７の長孔１０をその縁に沿って移動し、障子９をそれ以上に開くときには連結アームの障子側軸１５ｂが障子側台座１３の長孔２５をその縁に沿って移動するから、障子９を倒すときに連結アームの各軸１５ａ、１５ｂに摩擦を作用でき、滑らかに障子９を倒すことができる。
本発明は、上述した実施の形態に限らず、本発明の要旨を逸脱しない範囲で種々変形可能である。
係止部２７ａ、２７ｂ、２７ｃの数は制限されず、例えば第１係止部２７ａのみであってもよいし、第２係止部２７ｂのみであってもよく、或いは、第４及び第５の係止部を設けても良い。
スライダー２３と操作部１９との連結は、ワイヤー３１に限らず、リンクによる連結であっても良い。
【図面の簡単な説明】
【００１１】
【図１】本発明の実施の形態にかかる内倒しサッシの障子を換気位置に開いた状態を示し、図７のＡ−Ａ位置に対応する位置で切断して示す断面図である。
【図２】（ａ）は枠側台座と障子側台座とを抜き出して示す側面図であり、（ｂ）は（ａ）に示す障子側台座においてスライダーにより連結アームの障子側軸が係止部から外れた状態を示す側面図である。
【図３】図７に示すＣ−Ｃ断面図である。
【図４】図７のＥ−Ｅ断面図である。
【図５】図４に示すＢ−Ｂ断面図である。
【図６】図３に示すＦ−Ｆ断面図である。
【図７】本実施の形態に係る打ち倒しサッシであって障子を閉じた状態を室内側から見た正面図である。
【符号の説明】
【００１２】
１      内倒しサッシ
５      竪枠
６      上枠
７      枠側台座
１１    竪框
１０    枠側台座の長孔
１３    障子側台座
１５    連結アーム
１５ａ  枠側軸
１５ｂ  障子側軸
１７    上框
１７ａ  室内側壁
１９    操作部
２１    台座本体
２３    スライダー
２５    台座本体の長孔
２７ａ、２７ｂ、２７ｃ    係止部
３３    気密材
【図１】
2008231821.tif 000003
【図２】
2008231821.tif 000004
【図３】
2008231821.tif 000005
【図４】
2008231821.tif 000006
【図５】
2008231821.tif 000007
【図６】
2008231821.tif 000008
【図７】
2008231821.tif 000009